(57)【要約】【課題】【解決手段】本発明に係るデータ記録装置は、音声信号をデジタルデータに変換して外部メモリ９に書き込むことが可能であって、録音ボタン及びリターンボタンを含む操作ボタン１０と、操作ボタン１０の操作に応じて外部メモリ９に対する録音データの書込みを制御する制御用マイクロコンピュータ７とを具え、該制御用マイクロコンピュータ７は、録音ボタンの操作に応じて、外部メモリ９に対する録音データの書込みを開始し、その後のリターンボタンの操作に応じて、外部メモリ９に対する録音データの書込みを中断し、それまでに外部メモリ９に書き込まれた録音データを破棄した上で、録音データの書込みを再開する。【選択図】　　　図１
2004021050.tif 000002
【特許請求の範囲】
【請求項１】
実時間軸上で連続的に発生する音声若しくは映像をデジタルデータに変換してメモリに書き込むことが可能なデータ記録装置であって、ユーザが操作すべき第１及び第２の書込み開始操作手段と、両書込み開始操作手段の操作に応じてメモリに対するデジタルデータの書込みを制御するデータ書込み制御手段とを具え、該データ書込み制御手段は、第１書込み開始操作手段の操作に応じて、メモリに対するデジタルデータの書込みを開始し、その後の第２書込み開始操作手段の操作に応じて、メモリに対するデジタルデータの書込みを中断し、それまでにメモリに書き込まれたデジタルデータを破棄した上で、デジタルデータの書込みを再開することを特徴とするデータ記録装置。
【請求項２】
前記データ書込み制御手段は、第１の書込み開始操作手段の操作時から第２の書込み開始操作手段の操作時までにメモリに書き込まれたデジタルデータを消去するデータ消去手段を具えている請求項１に記載のデータ記録装置。
【請求項３】
前記データ消去手段は、消去すべきデジタルデータをそのデータ管理情報の無効化によって消去する請求項２に記載のデータ記録装置。
【請求項４】
前記データ消去手段は、消去すべきデジタルデータを新たなデジタルデータの上書きによって消去する請求項２に記載のデータ記録装置。
【請求項５】
前記データ書込み制御手段は、
第１の書込み開始操作手段の操作に応じて、そのときのデジタルデータの書込み開始アドレスを記憶する記憶手段と、
第２の書込み開始操作手段の操作に応じて、前記記憶手段に記憶されているアドレスを読み出し、該アドレスによって書込み開始アドレスを更新する書込み開始アドレス更新手段
とを具えている請求項４に記載のデータ記録装置。
【発明の詳細な説明】
【０００１】
【発明の属する技術分野】
本発明は、音声を録音するためのＩＣレコーダや、映像を録画するためのデジタルビデオカメラの如く、実時間軸上で連続的に発生する音声若しくは映像をデジタルデータに変換してメモリに書き込むことが可能なデータ記録装置に関するものである。
【０００２】
【従来の技術】
従来、ＩＣレコーダにおいては、録音開始ボタンを押下することによって、マイクロホンから入力される音声信号がデジタルデータに変換された後、スマートメディア（登録商標）やマルチメディアカード等の脱着式のＩＣメモリからなる外部メモリに書き込まれる。録音終了ボタンを押下すれば、録音動作は停止する。
又、ＩＣレコーダにおいては、録音したデータの消去を行なうことが可能である。
例えば会議の録音において、ユーザは、録音開始ボタンと録音終了ボタンを交互に押下することによって、会議の必要部分のみを外部メモリに書き込むことが出来る。
【０００３】
【発明が解決しようとする課題】
従来のＩＣレコーダを用いた録音においては、録音を開始すべき時点に正確に一致させて録音開始ボタンを押下することは困難であるため、安全策として早めに録音開始ボタンを押下することとなる。
しかしながら、録音開始ボタンを押下する時点が早過ぎると、無駄な録音部分の発生によって、メモリ容量の浪費を招くことになる。無駄な録音部分を消去するためには、録音終了ボタンを押下して録音を一旦中断し、録音済みのデータを消去した後、再度、録音開始ボタンを操作して、録音を再開する必要があるため、これらの操作の最中に、録音開始のタイミングを逸してしまう虞がある。
【０００４】
そこで本発明の目的は、簡易な操作によって必要なデータのみをメモリに書き込むことが出来るデータ記録装置を提供することである。
【０００５】
【課題を解決する為の手段】
本発明に係るデータ記録装置は、ユーザが操作すべき第１及び第２の書込み開始操作手段と、両書込み開始操作手段の操作に応じてメモリに対するデジタルデータの書込みを制御するデータ書込み制御手段とを具えている。
データ書込み制御手段は、第１書込み開始操作手段の操作に応じて、メモリに対するデジタルデータの書込みを開始し、その後の第２書込み開始操作手段の操作に応じて、メモリに対するデジタルデータの書込みを中断し、それまでにメモリに書き込まれたデジタルデータを破棄した上で、デジタルデータの書込みを再開する。
ここでデジタルデータの破棄は、破棄すべきデータの消去、若しくは破棄すべきデータについての管理情報の無効化によって行なわれる。
【０００６】
上記本発明のデータ記録装置を用いたデジタルデータの記録においては、先ず第１書込み開始操作手段を操作して、メモリに対するデジタルデータの書込みを開始する。もし、その書込み開始のタイミングが早過ぎた場合には、第２書込み開始操作手段を操作する。これによって、メモリに対するデジタルデータの書込みが中断され、それまでにメモリに書き込まれたデジタルデータが破棄された上で、デジタルデータの書込みが再開される。この際、破棄されたデータと同じファイル名で新たなデータの書込みが行なわれる。
従って、第２書込み開始操作手段の操作を１回〜複数回行なうことにより、最後の書込み開始操作時点を目的の書込み開始時点に可及的に近づけることが出来る。ここで、最初の第１書込み開始操作手段の操作時から最後の第２書込み開始操作手段の操作時までにメモリに書き込まれた無駄なデジタルデータは破棄され、メモリ容量の浪費が回避される。
【０００７】
具体的構成において、前記データ書込み制御手段は、第１の書込み開始操作手段の操作時から第２の書込み開始操作手段の操作時までにメモリに書き込まれたデジタルデータを消去するデータ消去手段を具えている。該データ消去手段は、消去すべきデジタルデータをそのデータ管理情報の無効化によって消去するもの、或いは、消去すべきデジタルデータを新たなデジタルデータの上書きによって消去するものである。
【０００８】
又、具体的構成において、前記データ書込み制御手段は、
第１の書込み開始操作手段の操作に応じて、そのときのデジタルデータの書込み開始アドレスを記憶する記憶手段と、
第２の書込み開始操作手段の操作に応じて、前記記憶手段に記憶されているアドレスを読み出し、該アドレスによって書込み開始アドレスを更新する書込み開始アドレス更新手段
とを具えている。
従って、第２書込み開始操作手段の操作により、デジタルデータの書込み開始アドレスを、第１書込み開始操作手段の操作によって設定された元のアドレスに戻すことが出来る。
【０００９】
【発明の効果】
本発明に係るデータ記録装置によれば、第１書込み開始操作手段の操作後に第２書込み開始操作手段を操作するだけの簡易な操作によって、必要なデータのみをメモリに書き込むことが出来る。
【００１０】
【発明の実施の形態】
以下、本発明をＩＣレコーダに実施した形態につき、図面に沿って具体的に説明する。該ＩＣレコーダは図１に示す如く、ユーザが操作すべき操作ボタン（１０）と、各種の情報を表示すべき表示器（１１）と、脱着が可能な外部メモリ（９）とを具えており、表示器（１１）の操作に応じて、マイクロホン（１）によって集音した音声をデジタルデータとして外部メモリ（９）に書き込む録音動作と、外部メモリ（９）に書き込まれているデジタルデータを読み出して、スピーカ（６）から音声として放音する再生動作が可能となっている。
【００１１】
音声の録音時には、マイクロホン（１）から入力される音声信号がＡＤコンバータ（２）によってデジタルデータに変換され、更にエンコード／デコードＩＣ（３）にてエンコードされた後、制御用マイクロコンピュータ（７）を経てメモリ制御ＩＣ（８）に供給され、メモリ制御ＩＣ（８）によって外部メモリ（９）に書き込まれる。
音声の再生時には、メモリ制御ＩＣ（８）によって外部メモリ（９）から読み出されたデジタルデータが、制御用マイクロコンピュータ（７）を経てエンコード／デコードＩＣ（３）へ供給され、該エンコード／デコードＩＣ（３）にてデコードされた後、ＤＡコンバータ（４）によってアナログの音声信号に変換され、増幅器（５）によって増幅された上、スピーカ（６）から放音される。
【００１２】
尚、操作ボタン（１０）には、録音を開始する際に操作すべき録音ボタンの他に、録音を一旦開始した後に該録音を中断し、それまでの録音データを破棄した上で録音を再開する際に操作すべきリターンボタンが含まれている。
【００１３】
図２は、録音ボタン及びリターンボタンの操作に応じて制御用マイクロコンピュータ（７）が実行すべき録音制御手続きを表わしている。
先ずステップＳ１にて録音ボタンが押下されたかどうかを判断し、イエスと判断されたときは、ステップＳ２に移行して、外部メモリに対するデータの書込み開始アドレスを設定すると共に、該アドレスを内部メモリに記憶する。ここで、データ書込み開始アドレスは、外部メモリのデータ領域の内、データが消去されている空き領域の先頭アドレスに設定される。
【００１４】
次にステップＳ３では、録音終了ボタンが押下されたかどうかを判断し、ここでノーと判断されたときは、ステップＳ４に移行し、リターンボタンが押下されたかどうかを判断する。録音ボタンを押下した直後はステップＳ３及びステップＳ４にてノーと判断されることになり、これによってステップＳ５へ移行する。
ステップＳ５では、録音すべき音声のレベルが所定値を越えているかどうか、即ち録音データが有るかどうかを判断し、録音データが無いとき（無音状態のとき）は、ステップＳ３に戻って、同じ判断を繰り返す。
【００１５】
録音データが存在するときは、ステップＳ５にてイエスと判断され、ステップＳ６へ移行する。ステップＳ６では、外部メモリに対するデータ書込みアドレスに従って録音データの書込みを行なうと共に、ステップＳ７では、データ書込みの進行に伴ってデータ書込みアドレスを更新する。
その後、ステップＳ３に戻って、録音終了ボタンが押下されるまで、録音データの書込みを繰り返す。
【００１６】
録音中にリターンボタンが押下されてステップＳ４にてイエスと判断されたときは、ステップＳ８に移行して、前記内部メモリから書込み開始アドレスを読み出し、ステップＳ９では、データ書込みアドレスを該書込み開始アドレスに復帰せしめる。
そして、必要に応じてステップＳ１０では、録音ボタンの操作時からリターンボタンの操作時までに外部メモリに書き込まれたデータを消去した後、ステップＳ３に戻って、データの書込みを再開する。
その後、録音終了ボタンが押下されてステップＳ３にてイエスと判断されたときは、ステップＳ１１に移行して、録音データの書込みを終了する。
【００１７】
上記ＩＣレコーダによれば、先ず録音ボタンの操作によって、外部メモリに対する録音データの書込みが開始され、その後、リターンボタンの操作によって、外部メモリに対する録音データの書込みが中断され、それまでに外部メモリに書き込まれた録音データが消去された上、消去されたデータと同じファイル名で録音データの書込みが再開される。
従って、ユーザは、リターンボタンの操作を１回〜複数回行なうことにより、リターンボタンの操作による録音開始時点を目的の録音開始時点に可及的に近づけて、必要なデータのみを外部メモリに書き込むことが出来る。ここで、録音ボタンの操作時からリターンボタンの最後の操作時までに外部メモリに書き込まれた無駄なデータは上書きによって消去されるので、メモリ容量の浪費が回避されることになる。
【００１８】
尚、本発明の各部構成は上記実施の形態に限らず、特許請求の範囲に記載の技術的範囲内で種々の変形が可能である。例えば、外部メモリ（９）が上書き記録によるデータ消去の不可能なタイプである場合は、リターンボタンの操作時に、消去すべきデータについての管理情報を無効化しておき、電源投入時等の適時に該データの消去を実行する構成を採用することが出来る。
又、本発明のデータ記録装置は、ＩＣレコーダ等のオーディオ機器に限らず、デジタルビデオカメラ等の映像機器に実施することも可能である。
【図面の簡単な説明】
【図１】本発明に係るＩＣレコーダの構成を示すブロック図である。
【図２】該ＩＣレコーダの録音制御手続きを表わすフローチャートである。
【符号の説明】
（１）　マイクロホン
（２）　ＡＤコンバータ
（３）　エンコード／デコードＩＣ
（４）　ＤＡコンバータ
（５）　増幅器
（６）　スピーカ
（７）　制御用マイクロコンピュータ
（８）　メモリ制御ＩＣ
（９）　外部メモリ
（１０）　操作ボタン
（１１）　表示器
【図１】
2004021050.tif 000003
【図２】
2004021050.tif 000004